(57)【要約】【課題】支持するパネル部材の浮き上がりの防止を簡易かつ確実に行なうことができるフリーアクセスフロア用支持台を提供する。【解決手段】パネル部材６６の側板部７０を嵌入してパネル部材６６を支持する溝部４６を上端面４４に形成したフリーアクセスフロア用支持台３２において、溝部４６に側板部７０を押圧する押圧部５６を備え、押圧部５６には側板部７０に当接する隆起部６２が形成されるようにした。【効果】支持するパネル部材の浮き上がりの防止を簡易かつ確実に行なうことができる。【選択図】図４
2008303553.tif 000002
【特許請求の範囲】
【請求項１】
パネル部材の側板部を嵌入してパネル部材を支持する溝部を上端面に形成したフリーアクセスフロア用支持台において、
前記溝部に前記側板部を押圧する押圧部を備え、
前記押圧部には前記側板部に当接する隆起部が形成されていることを特徴とするフリーアクセスフロア用支持台。
【請求項２】
前記押圧部には最も撓み易い自由端部とほとんど撓まない固定端部とを有し、前記溝部の開口側と底部側のいずれか一端側に前記自由端部を、他端側に前記固定端部を形成したことを特徴とする請求項１に記載のフリーアクセスフロア用支持台。
【発明の詳細な説明】
【技術分野】
【０００１】
本発明は、オフィスルーム等の部屋の下地床面上に敷設されるフリーアクセスフロアの、パネル部材を支持するフリーアクセスフロア用支持台に関するものである。
【背景技術】
【０００２】
図７及び図８は、特許文献１に係るフリーアクセスフロア用支持台２（以下において、「支持台２」という。）を示す平面図及び側面断面図である。同図に示すように、支持台２は、御椀を伏せたような形状のベース部材４と、このベース部材４の上端面上に掛止された合成樹脂製の上端部材６とで構成されている。
【０００３】
上端部材６は、略円盤形状に形成されており、ベース部材４と反対側の上端面１０がほぼ平坦に形成されている。また、上端部材６は、図７に示すように、上端面１０に沿って伸び、互いに直交するように形成された２本の溝部１２を有している。各溝部１２には、その長さ方向における他方の溝部１２との交差範囲の両側２ヶ所ずつに、スペーサ１４が形成されている。
【０００４】
各スペーサ１４は、図７及び図８に示すように、溝部１２の底面上に高さを有するように形成されており、対応する溝部１２の長さ方向と平行方向に伸びるように形成されている。これにより、各溝部１２は、スペーサ１４が形成されている長さ範囲内において、幅方向に２つに分断されるようになっている。
【０００５】
図９は、このような支持台２の上端部材６の上端面１０上に載置される、パネル部材１６を示す平面図である。パネル部材１６は、同図に示すように、平面形状が略正方形（又は略長方形）である天板部１８と、この天板部１８の四辺のそれぞれに、図９中の紙面に垂直方向の奥側に一定高さを有するよう折曲げて設けられる、側板部２０とを有している。
【０００６】
また、パネル部材１６の天板部１８には、その四隅のそれぞれに、凹弧状の切り欠き部２２が形成されている。これにより、４枚のパネル部材１６の各隅部を突合わせたときに、それぞれの凹弧状の切り欠き部２２が９０°ずつ組合わされて、後述するビス部材２４を挿通させることができるような一つの挿通孔が形成されるようになっている。
【０００７】
図１０に示すように、支持台２は、４枚のパネル部材１６の各隅部が一ヶ所に集められた位置の下側に配置される。各パネル部材１６は、天板部１８の各隅部が、支持台２の上端部材６の上端面１０上に載置されると共に、図９に示す各側板部２０の端部が、図７に示す支持台２の上端部材６における、溝部１２の内側側面とスペーサ１４との間の隙間に嵌入するようになっている。
【０００８】
また、図１０に示すように、支持台２の中心位置にはビス部材２４が締付けられている。このビス部材２４は、図９に示すパネル部材１６の切り欠き部２２が９０°ずつ組合わされて形成された、図１０に示すような挿通孔に挿通されている。そして、ビス部材２４は、図示しないが、そのネジ部の尖った先端部が、図８に示す上端部材６の溝部１２の底板部１２ａを貫いて、ベース部材４の上側中央部の雌ネジ部２６とネジ締結するようになっている。これにより、図１０に示す各パネル部材１６は、その天板部１８の各隅部が、ビス部材２４の頭部に抑え付けられて、浮き上がらないようになっていた。
【特許文献１】特許第３８２３０５８号公報
【発明の開示】
【発明が解決しようとする課題】
【０００９】
しかしながら、上記特許文献１に係る支持台２においては、パネル部材１６の浮き上がり防止用のビス部材２４がネジ締結されるようになっているため、このようなビス部材２４の締付け作業が煩わしいという問題があった。
【００１０】
そこで本発明は、上記問題点に鑑みて、支持するパネル部材の浮き上がりの防止を簡易かつ確実に行なうことができるフリーアクセスフロア用支持台を提供することを課題とするものである。
【課題を解決するための手段】
【００１１】
上記課題を解決するために本発明は、
パネル部材の側板部を嵌入してパネル部材を支持する溝部を上端面に形成したフリーアクセスフロア用支持台において、
前記溝部に前記側板部を押圧する押圧部を備え、
前記押圧部には前記側板部に当接する隆起部が形成されていることを特徴とするものである。
【００１２】
また、本発明によるフリーアクセスフロア用支持台において、
前記押圧部には最も撓み易い自由端部とほとんど撓まない固定端部とを有し、前記溝部の開口側と底部側のいずれか一端側に前記自由端部を、他端側に前記固定端部を形成したことを特徴とするものである。
【発明の効果】
【００１３】
このような本発明のフリーアクセスフロア用支持台によれば、
パネル部材の側板部を嵌入してパネル部材を支持する溝部を上端面に形成したフリーアクセスフロア用支持台において、
前記溝部に前記側板部を押圧する押圧部を備え、
前記押圧部には前記側板部に当接する隆起部が形成されていることにより、
支持するパネル部材の浮き上がりの防止を簡易かつ確実に行なうことができる。
【００１４】
また、本発明のフリーアクセスフロア用支持台において、
前記押圧部には最も撓み易い自由端部とほとんど撓まない固定端部とを有し、前記溝部の開口側と底部側のいずれか一端側に前記自由端部を、他端側に前記固定端部を形成したことにより、
前記押圧部が破損するのを確実に防止することができる。
【発明を実施するための最良の形態】
【００１５】
以下、本発明に係るフリーアクセスフロア用支持台を実施するための最良の形態について、図面に基づいて具体的に説明する。
図１から図４は、本発明の第１の実施の形態に係るフリーアクセスフロア用支持台３２について説明するために参照する図である。
【００１６】
本実施の形態に係るフリーアクセスフロア用支持台３２（以下において、「支持台３２」という。）は、図１に示すように、金属製の円筒部材３６と、合成樹脂製の上端部材３４及び下端部材３８とを備えて構成されている。
【００１７】
上端部材３４は、図１及び図２に示すように、略円盤形状の大径部４０と、この大径部４０の図１中下側に一体的に形成された円筒状の小径部４２とを備えて構成されている。上端部材３４は、その小径部４２が、円筒部材３６の上端部の内側に嵌合している。また円筒部材３６は、その下端部が円筒状の下端部材３８の内側に嵌合している。
【００１８】
また、上端部材３４の大径部４０は、その上端面４４がほぼ平坦に形成されており、図２に示すように、この上端面４４に沿って伸び、互いに直交するように形成される２本の溝部４６を有している。
【００１９】
各溝部４６には、その長さ方向における他方の溝部４６との交差範囲を除く長さ範囲にわたって、スペーサ４８が形成されている。このスペーサ４８は、溝部４６の底面４６ａ上に高さを有するように立設されており、このようなスペーサ４８により、各溝部４６は、幅方向に２つに分けられている。
【００２０】
また、上端部材３４の大径部４０は、図２に示すように、小径部４２の内径よりも内側の領域において、上端面４４を形成する一定肉厚の上板５０が形成されている。この上板５０の下側であって、かつ、スペーサ４８に対向する各溝部４６の側面４６ｂを形成する一定肉厚の側壁４７の背後には、略扇形の空洞部分４３が形成されている。上端部材３４の大径部４０は、このような空洞部分４３を４つ有しており、各空洞部分４３は、図１に示すように、小径部４２の内側の中空部分に連通している。
【００２１】
また、上端部材３４の大径部４０には、図２に示すように、各溝部４６における、スペーサ４８を挟んで互いに対向する両側の側壁４７であって、溝部４６同士の交差位置と上端面４４の外周との中間位置のそれぞれに、一定間隔を置いて、溝部４６の深さ方向（図２中、紙面に垂直方向の奥側）に一定深さまで伸びる２本のスリット５２が形成されている。
【００２２】
この２本のスリット５２のそれぞれは、一定深さの下端から上昇して、上板５０と側壁４７で形成される角部を折れ曲って上板５０内にまで延長されており、溝部４６の側壁４７の背後まで伸びて形成されている。つまりスリット５２は、上記角部から側壁４７の肉厚よりも長い長さ分だけ上板５０の奥側に伸びて形成されている。
【００２３】
そして、この２本のスリット５２の上板５０内の奥側の端部同士が、溝部４６の長さ方向と平行方向に伸びるように形成されたスリット５４の両端に繋げられて、２本のスリット５２とスリット５４がコの字状に形成されている。上端部材３４における溝部４６の側壁４７は、図２及び図３に示すように、スリット５２，５４で囲まれた部分が、押圧部５６を構成するようになっている。上端部材３４は、このような押圧部５６を１本の溝部４６の両側に２個ずつ、計８個を有している。
【００２４】
押圧部５６は、最も撓み易い自由端部６０と、ほとんど撓まない固定端部５８とを有している。すなわち押圧部５６は、図３に示すように、溝部４６の深さ方向（図３中縦方向）に長さを有し、溝部４６の開口側先端部には自由端部６０が形成され、溝部４６の底面４６ａ側には固定端部５８が形成されている。押圧部５６の自由端部６０は、スペーサ４８と反対側に折曲って、この折曲り部分は上板５０と同一平面状に形成されている。
【００２５】
押圧部５６にはその自由端部６０に、スペーサ４８側に隆起する隆起部６２が設けられている。この隆起部６２とスペーサ４８との間の隙間は、後述するパネル部材６６の側板部７０の厚さ（図４中、寸法ｔ）よりも若干狭く設定されている。
【００２６】
また、上端部材３４における大径部４０の溝部４６には、図２及び図３に示すように、その長さ方向（図２中、縦方向又は横方向）に溝部４６の底面４６ａを形成する底壁６３が形成されているが、溝部４６の長さ方向における押圧部５６を含む一定の長さ範囲においては、底壁６３が形成されていないことにより、このような長さ範囲に開口部６４が形成されている。
【００２７】
この開口部６４により、上端部材３４の成形時に、図示しない、上端部材３４を形成するための金型の一部分であって、押圧部５６の隆起部６２を形成するための部分が、図２中の紙面に垂直方向の奥側から手前側に向かって、底壁６３を通り抜けることができるようになっている。
【００２８】
図４は、支持台３２がパネル部材６６を支持している状態を示す側面断面図である。同図は、図面の複雑化を防止するため、パネル部材６６が１枚だけ載置された状態を示している。支持台３２は、同図に示すように、パネル部材６６の天板部６８の隅部を上端部材３４の上端面４４上に載置させ、パネル部材６６の側板部７０を、上端部材３４における溝部４６の側面４６ｂとスペーサ４８との間に嵌入させるようになっている。
【００２９】
押圧部５６の隆起部６２とスペーサ４８との間の隙間寸法は、パネル部材６６の側板部７０の厚さ寸法ｔよりも若干狭く設定されていることにより、押圧部５６はその自由端部６０側の隆起部６２が、パネル部材６６の側板部７０に当接しつつ固定端部５８を支点として弾性的に撓むので、その反力によりパネル部材６６の側板部７０をスペーサ４８側へ押圧するようになっている。
【００３０】
このような本実施の形態に係るフリーアクセスフロア用支持台３２によれば、この溝部４６の側面４６ｂとスペーサ４８との間に嵌入されたパネル部材６６の側板部７０を、押圧部５６がスペーサ４８側へ押圧するようになっていることにより、パネル部材６６の側板部７０が、上端部材３４における溝部４６の側面４６ｂとスペーサ４８との間にしっかりと挟まれるようになっているので、パネル部材６６の浮き上がりの防止を簡易かつ確実に行なうことができる。
【００３１】
また、本実施の形態に係るフリーアクセスフロア用支持台３２によれば、パネル部材６６の平面形状の四隅に、図９に示す従来のパネル部材１６の四隅に形成した凹弧状の切り欠き部２２と同様の切り欠き部を形成しなくても済むようになる。
【００３２】
また、本実施の形態に係るフリーアクセスフロア用支持台３２によれば、隆起部６２が押圧部５６の最も撓み易い自由端部６０に設けられているので、図４に示すように、押圧部５６の撓み角θを必要最小限度に抑えることができる。このため、押圧部５６の固定端部５８に加わる曲げモーメントを必要最小限度に抑えることができるので、この支持台３２の耐久性を向上させることができる。
【００３３】
このような耐久性の向上の効果により、上端部材３４が合成樹脂製である場合でも、気温の低下や経時変化等による弾力性の低下に伴って上端部材３４が破損することを有効に防止することができる。
【００３４】
次に、図５及び図６は、本発明の第２の実施の形態に係るフリーアクセスフロア用支持台８２（以下において、「支持台８２」という。）について説明するために参照する図である。前記第１の実施の形態に係る支持台３２と同様の部分や構成についての重複する説明は省略するものとする。
【００３５】
本実施の形態に係る支持台８２は、前記第１の実施の形態に係る支持台３２の上端部材３４の代わりに、上端部材８３を備えている。この上端部材８３は、図５及び図６に示すように、スペーサ４８を挟んで互いに対向する各溝部４６の両側の側壁４７のそれぞれに上下に伸びるよう形成された、２本のスリット５２の底面４６ａ側の端部同士が、各溝部４６の両側の側壁４７に形成された、各溝部４６の長さ方向に長さを有するスリット８４により繋がっている。
【００３６】
これにより、スリット５２，８４に囲まれて形成される押圧部８６は、その長さ方向（図６中縦方向）における上板５０側、すなわち、溝部４６の開口側に、ほとんど撓まない固定端部８８を有しており、溝部４６の底面４６ａ側に最も撓み易い自由端部９０を有している。また、押圧部８６の隆起部９２は、その最も撓み易い自由端部９０に形成されている。
【００３７】
このような本実施の形態に係るフリーアクセスフロア用支持台８２によれば、前記第１の実施の形態と同様に、この支持台８２が支持するパネル部材６６（図４参照）の浮き上がりの防止を簡易かつ確実に行なうことができる。
【００３８】
また、本実施の形態に係るフリーアクセスフロア用支持台８２によれば、図示しないが、前記第１の実施の形態と同様に、パネル部材６６（図４参照）の平面形状の四隅に、図９に示す従来のパネル部材１６の四隅に形成した凹弧状の切り欠き部２２と同様の切り欠き部を形成しなくても済むようになる。
【００３９】
また、本実施の形態に係るフリーアクセスフロア用支持台８２によれば、図６に示すように、押圧部８６の隆起部９２が最も撓み易い自由端部９０に形成されているので、図示しないパネル部材６６の側板部７０（図４参照）が、上端部材８３における溝部４６の側面４６ｂとスペーサ４８との間に嵌入したときに、押圧部８６の撓み角（図４における撓み角θに相当）を必要最小限度に抑えることができる。このため、押圧部８６の固定端部８８に加わる曲げモーメントを必要最小限度に抑えることができるので、この支持台８２の耐久性を向上させることができる。
【００４０】
また、本実施の形態に係るフリーアクセスフロア用支持台８２によれば、図６に示すように、押圧部８６は、その固定端部８８を溝部４６の開口側に有しているので、押圧部８６は、図示しないパネル部材６６の側板部７０が、溝部４６の側面４６ｂとスペーサ４８との間に嵌入する際に、このパネル部材６６の側板部７０から座屈荷重を受けるおそれが無くなるので、このような座屈荷重が原因となって押圧部８６が破損するのを、確実に防止することができる。
【００４１】
なお、前記第１及び第２の実施の形態に係るフリーアクセスフロア用支持台３２，８２においては、図２及び図５に示すように、上端部材３４，８３が、互いに直交する２本の溝部４６を有するようになっていたが、溝部４６は１本だけが形成されていてもよい。
【００４２】
また、前記第１及び第２の実施の形態に係るフリーアクセスフロア用支持台３２，８２においては、１本の溝部４６の幅中心部に、溝部４６の長さ方向に伸びるスペーサ４８が設けられていたが、そのようなスペーサが設けられた１本の溝部４６を設ける代わりに、相互間に壁を有する２本の溝部を設けてもよい。
【００４３】
また、前記第１の実施の形態に係る支持台３２においては、図１に示すように、上端部材３４、円筒部材３６、及び下端部材３８を備えるようになっていたが、これら上端部材３４、円筒部材３６、及び下端部材３８が、合成樹脂材等により、一体的に形成されていてもよい。或いは、上端部材３４と円筒部材３６だけが一体的に、又は円筒部材３６と下端部材３８だけが一体的に形成されていてもよい。また、前記第２の実施の形態に係る支持台８２の、上端部材８３、円筒部材３６、及び下端部材３８についても同様である。
【図面の簡単な説明】
【００４４】
【図１】本発明の第１の実施の形態に係るフリーアクセスフロア用支持台３２を示す側面図である。
【図２】本発明の第１の実施の形態に係るフリーアクセスフロア用支持台３２を示す平面図である。
【図３】図２に示す上端部材３４及び円筒部材３６の上端部のＢ−Ｂ線矢視断面図であって、パネル部材６６を載置しない状態を示す図である。
【図４】図２に示す上端部材３４及び円筒部材３６の上端部のＢ−Ｂ線矢視断面図であって、上端部材３４上にパネル部材６６を載置した状態を示す図である。
【図５】本発明の第２の実施の形態に係るフリーアクセスフロア用支持台８２を示す平面図である。
【図６】図５に示す上端部材８３及び円筒部材３６の上端部のＣ−Ｃ線矢視断面図である。
【図７】従来のフリーアクセスフロア用支持台２を示す平面図である。
【図８】従来のフリーアクセスフロア用支持台２を示す側面断面図である。
【図９】従来のパネル部材１６を示す平面図である。
【図１０】図７，８に示す従来のフリーアクセスフロア用支持台２上に、図９に示す従来のパネル部材１６の４枚の隅部を載置した状態を示す平面図である。
【符号の説明】
【００４５】
２  フリーアクセスフロア用支持台
４  ベース部材
６  上端部材
１０  上端面
１２  溝部
１２ａ  底板部
１４  スペーサ
１６  パネル部材
１８  天板部
２０  側板部
２２  切り欠き部
２４  ビス部材
２６  雌ネジ部
３２  フリーアクセスフロア用支持台
３４  上端部材
３６  円筒部材
３８  下端部材
４０  大径部
４２  小径部
４３  空洞部分
４４  上端面
４６  溝部
４６ａ  底面
４６ｂ  側面
４７  側壁
４８  スペーサ
５０  上板
５２，５４  スリット
５６  押圧部
５８  固定端部
６０  自由端部
６２  隆起部
６３  底壁
６４  開口部
６６  パネル部材
６８  天板部
７０  側板部
８２  フリーアクセスフロア用支持台
８３  上端部材
８４  スリット
８６  押圧部
８８  固定端部
９０  自由端部
【図１】
2008303553.tif 000003
【図２】
2008303553.tif 000004
【図３】
2008303553.tif 000005
【図４】
2008303553.tif 000006
【図５】
2008303553.tif 000007
【図６】
2008303553.tif 000008
【図７】
2008303553.tif 000009
【図８】
2008303553.tif 000010
【図９】
2008303553.tif 000011
【図１０】
2008303553.tif 000012